(57)【要約】【課題】水垢除去が容易で、表面に傷を付けることなく美観に優れ、省エネルギーに優れた食器乾燥器を提供する。【解決手段】本食器乾燥器は、本体と、この本体上に設けられ食器かごに載置される食器類を収納するケースと、このケースに温風を供給する温風供給装置を備えた食器乾燥器において、ケースの下部に設けられ、かつ食器かごが着脱自在に載置される琺瑯製トレーを備える。【選択図】  図１
2008259760.tif 000002
【特許請求の範囲】
【請求項１】
本体と、この本体上に設けられ、食器類を収納するケースと、このケースに温風を供給する温風供給装置を備えた食器乾燥器において、前記ケースの下部に琺瑯製トレーを備えることを特徴とする食器乾燥器。
【発明の詳細な説明】
【技術分野】
【０００１】
本発明は食器乾燥器に係り、特に、食器かごを載置するトレーに琺瑯を用いる食器乾燥器に関する。
【背景技術】
【０００２】
従来、食器かごに収納された食器類を温風乾燥させる温風供給装置を備えた食器乾燥器において、ケースの下部に設ける仕切板に着脱自在にステンレス製トレーを設けて、食器類からの水滴を受けるようにし、水垢やぬめりが付着しても、トレーを水洗い可能にして、衛生面の向上を図っている（例えば、特許文献１参照）。
【０００３】
しかしながら、特許文献１のステンレス製トレーは、水滴と温風による乾燥を繰返すので、水垢が付着し易い上、この水垢の除去に困難が伴い、清掃が必ずしも容易ではない。また、水垢除去のため、硬めのブラシを使用することが多く、表面に傷を付け美観を損ねることがある。
【０００４】
さらに、ステンレス製トレーは熱伝導率が大きいため、温風からの熱をこのステンレス製トレーを介してケースの下部側に逃がすため、温風温度を低下させて、食器乾燥器の乾燥能力を低下させ、省エネルギー上も好ましくない。
【特許文献１】特開２００１−１２８９１９号公報
【発明の開示】
【発明が解決しようとする課題】
【０００５】
本発明は上述した事情を考慮してなされたもので、水垢除去が容易で、表面に傷を付けることなく美観に優れ、省エネルギーに優れた食器乾燥器を提供することを目的とする。
【０００６】
本発明者らは上記課題に鑑み、琺瑯の特性すなわち、耐久性、滑らか性、耐磨耗性、及び保温性に着目し、トレーに琺瑯加工を施すことで、上記問題を解決できることを見出した。本発明はかかる知見に基づくものである。
【課題を解決するための手段】
【０００７】
上述した目的を達成するため、本発明に係る食器乾燥器は、本体と、この本体上に設けられ、食器類を収納するケースと、このケースに温風を供給する温風供給装置を備えた食器乾燥器において、前記ケースの下部に琺瑯製トレーを備えることを特徴とする。
【発明の効果】
【０００８】
本発明に係る食器乾燥器によれば、水垢除去が容易で、表面に傷を付けることなく美観に優れ、省エネルギーに優れた食器乾燥器を提供することができる。
【発明を実施するための最良の形態】
【０００９】
本発明の一実施形態に係る食器乾燥器について添付図面を参照して説明する。
【００１０】
図１は本発明に係る食器乾燥器の蓋体を開けた状態での正面図であり、図２はその側面断面図である。
【００１１】
図１及び図２に示すように、本発明に係る食器乾燥器１は、本体２と、この本体２上に設けられ、食器かご３に載置された食器類Ｖを収納するケース４と、このケース４に温風を供給する温風供給装置５を備える。
【００１２】
本体２は不透明合成樹脂製で扁平矩容器状をなし、その内部には、温風供給装置５が収納され、この温風供給装置５はファン６ａとモータ６ｂからなる送風機６と、この送風機６に通風路７を介して連通されるヒータ８からなり、本体２の底部に設けられた空気吸込口９から吸込まれた空気を加熱して、本体２後面側に設けた温風吹出口１０からケース４内に吹出す。
【００１３】
食器かご３はステンレス製で、太めの線材からなるかご枠３ａに線材３ｂを多数取付けて形成され、底面４隅近傍に４個の脚部３ｃが突設される。
【００１４】
また、ケース４は空気排出口４ｃ１が設けられ、ケースの一部を構成するように膨出する透明合成樹脂製の固定ケース部４ａに、ケースの一部を構成するように膨出する透明合成樹脂製の前面蓋体４ｂ、中間蓋体４ｃが、ヒンジ４ｄを介して回動自在に軸支されて形成されている。
【００１５】
ケース４の下部には、このケース４と温風供給装置５などが収容される機械室１１とを仕切る合成樹脂製の仕切板１２が設けられる。
【００１６】
図３に示すように、さらに、この仕切板１２の上部には、食器かご３が着脱自在に載置される琺瑯製トレー１３が載置される。
【００１７】
琺瑯製トレー１３は平板矩形状をなし、排水孔１３ａに向かって排水が流れるように、４隅から排水孔１３ａに向かって傾斜する凹部１３ｂが形成され、中央部近傍にはモータ６ｂ用の逃げ突部１３ｃが突設され、４隅近傍には、食器かご３の脚部３ｃが係合する脚用凹部１３ｄが形成され、さらに、外周には仕切板１２の外周縁１２ａに載るフランジ部１３ｅが設けられる。
【００１８】
琺瑯は鉄の表面にガラスを化学的、物理的に結合させたもので、鉄とガラスの密着性は極めて高く、表面はガラス質なので滑らかで耐久性に優れ、極めて硬く耐磨耗性に優れて剥離がない。また、１８−８ステンレスの熱伝導率が１５Ｗ／ｍ・Ｋであるのに対して、琺瑯は鉄とガラスの多層構造をなし、熱伝導率はほぼ１Ｗ／ｍ・Ｋであり、１８−８ステンレスに比べて熱伝導率が小さく、断熱効果を有する。
【００１９】
なお、図中符号１４は本体に着脱自在に挿入され仕切板から落下する水を受ける水受けカップであり、符号１５は本食器乾燥器の運転を制御するタイマーである。
【００２０】
また、本実施形態ではケースを固定ケース部と前面蓋体、中間蓋体で形成する例で説明したが、ケースは一体形状のものであってもよい。また、仕切板は必ずしも設ける必要はなく、ケースと機械室を琺瑯製トレーによって仕切るようにしてもよい。
【００２１】
本実施形態の食器乾燥器は、上記構造を有するので、図１に示すように、前面蓋体４ｂ、中間蓋体４ｃが開放された状態で、水を切った状態の食器類Ｖを図２に示すように食器かご３に収容し、前面蓋体４ｂ、中間蓋体４ｃを閉じ、温風吹出口１０から温風をケース４内に吹出し、食器類Ｖを乾燥させる。一方、食器乾燥器１を繰返し継続すると、食器類Ｖからの水滴が琺瑯製トレー１３の表面に溜まり、この水滴溜まりと温風による乾燥とが繰返されるが、琺瑯加工された琺瑯製トレー１３は滑らかであるので、水垢が付着しにくく、いつまでも衛生的であり、また、表面が硬いので清掃し易く、清潔に保つことができ、清掃時にも傷を付けることがなく、いつまでも美観を保つことができ、さらに、琺瑯は鉄とガラスの多層構造であるため断熱性（保温性）に優れ、ケース内に温風供給の際、琺瑯製トレーを介してのエネルギーロスを減じ、食器類を乾燥させることができ、省エネルギー性に優れる。
【００２２】
上述した本実施形態の食器乾燥器によれば、水垢除去が容易で、表面に傷を付けることなく美観に優れ、省エネルギーに優れた食器乾燥器が実現する。
【図面の簡単な説明】
【００２３】
【図１】本発明の食器乾燥器の蓋体を開けた状態を示す正面図。
【図２】本発明の食器乾燥器の側面断面図。
【図３】本発明の食器乾燥器の蓋体を開け食器かごを除去した平面図。
【符号の説明】
【００２４】
１  食器乾燥器
２  本体
３  食器かご
４  ケース
４ａ  固定ケース部
４ｂ  前面蓋体
４ｃ  中間蓋体
４ｃ１  空気排出口
５  温風供給装置
６  送風機
７  通風路
８  ヒータ
９  空気吸込口
１０  温風吹出口
１２  仕切板
１３  琺瑯製トレー
１３ａ  排水孔
１３ｄ  脚用凹部
１４  水受けカップ
１５  タイマー
【図１】
2008259760.tif 000003
【図２】
2008259760.tif 000004
【図３】
2008259760.tif 000005